(57)【要約】【課題】電子機器が使用される国や地域を自動で判別して、該当する認証マークなどの画像を表示させて、ユーザが容易に確認できるようにすること。【解決手段】表示装置は、電源ケーブル２００の種別を判別するＡＣケーブル判別部２０１を備え、国や地域ごとに異なる電源供給形態を識別する。画像記憶部２０３は、製品安全認証マークや電波規制認証マークなどの画像データを記憶している。画像選択部２０３は、ＡＣケーブル判別部２０１による判別結果に対応する画像データを画像記憶部２０４から読み出して表示制御部２０６に出力する制御を行う。表示制御部２０６は画像記憶部２０４から読み出された画像データを、表示部２０７に出力して画像を表示させる。【選択図】  図１
2014086940.tif 000002
【特許請求の範囲】
【請求項１】
国または地域ごとに異なる電源供給形態を判別する判別手段と、
複数の画像データを記憶する記憶手段と、
前記複数の画像データのうち、前記判別手段による判別結果に対応する画像データを前記記憶手段から読み出す制御を行う選択手段と、
前記選択手段により選択されて前記記憶手段から読み出された画像データにしたがって画像を表示する表示手段を備えることを特徴とする電子機器。
【請求項２】
前記判別手段は、電源ケーブルの種別または電源電圧値によって前記電源供給形態を判別することを特徴とする請求項１に記載の電子機器。
【請求項３】
前記記憶手段は、製品安全認証または電波規制認証の認証マークの画像データを記憶していることを特徴とする請求項１または２に記載の電子機器。
【請求項４】
国または地域ごとに異なる複数の電源ケーブルのいずれかを接続するインレット部を備え、
前記判別手段は、前記電源ケーブルの種別を判別する際、前記インレット部に接続された前記電源ケーブルの接続部を識別することを特徴とする請求項２または３に記載の電子機器。
【請求項５】
入力信号の種別を判別する入力信号判別手段をさらに備え、
前記選択手段は前記複数の画像データのうち、前記判別手段および前記入力信号判別手段による判別結果に対応する画像データを前記記憶手段から読み出す制御を行うことを特徴する請求項１から４のいずれか１項に記載の電子機器。
【請求項６】
前記選択手段は電子機器で使用する機能モジュールが起動されたことを示す信号を取得し、前記複数の画像データのうち、前記判別手段による判別結果および前記機能モジュールが起動されたことを示す信号に対応する画像データを前記記憶手段から読み出す制御を行うことを特徴する請求項１から４のいずれか１項に記載の電子機器。
【請求項７】
前記機能モジュールは無線通信を行うモジュールであることを特徴とする請求項６に記載の電子機器。
【請求項８】
国または地域ごとに異なる電源供給形態を判別する判別ステップと、
記憶手段に記憶された複数の画像データのうち、前記判別ステップでの判別結果に対応する画像データを前記記憶手段から読み出す制御を行う選択ステップと、
前記選択ステップで選択されて前記記憶手段から読み出された画像データにしたがって画像を表示する表示ステップを有することを特徴とする電子機器の制御方法。
【請求項９】
前記判別ステップでは、電源ケーブルの種別または電源電圧値によって前記電源供給形態を判別することを特徴とする請求項８に記載の電子機器の制御方法。
【請求項１０】
前記表示ステップでは、前記記憶手段から読み出された製品安全認証または電波規制認証の認証マークの画像データにしたがって画像を表示することを特徴とする請求項８または９に記載の電子機器の制御方法。
【請求項１１】
前記判別ステップでは、国または地域ごとに異なる複数の電源ケーブルのいずれかがインレット部に接続された場合、前記電源ケーブルの種別を判別する際、前記インレット部に接続された前記電源ケーブルの接続部を識別することを特徴とする請求項９または１０に記載の電子機器の制御方法。
【請求項１２】
入力信号の種別を判別する入力信号判別ステップをさらに有し、
前記選択ステップでは、前記複数の画像データのうち、前記判別ステップおよび前記入力信号判別ステップでの判別結果に対応する画像データを前記記憶手段から読み出す制御を行うことを特徴する請求項８から１１のいずれか１項に記載の電子機器の制御方法。
【請求項１３】
前記選択ステップでは、電子機器で使用する機能モジュールが起動されたことを示す信号を取得し、前記複数の画像データのうち、前記判別ステップでの判別結果および前記機能モジュールが起動されたことを示す信号に対応する画像データを前記記憶手段から読み出す制御を行うことを特徴する請求項８から１１のいずれか１項に記載の電子機器の制御方法。
【請求項１４】
前記選択ステップでは、無線通信を行う機能モジュールが起動されたことを示す信号を取得することを特徴とする請求項１３に記載の電子機器の制御方法。
【発明の詳細な説明】
【技術分野】
【０００１】
本発明は、国や地域ごとに異なる電源供給形態を判別し、判別結果に対応する認証マークなどの画像を表示する技術に関するものである。
【背景技術】
【０００２】
製品出荷にあたって、製造会社は出荷国に応じた製品安全認証および電波規制認証を取得する必要があり、認証ごとに認証マークが定められている。製品を世界各国の仕向け地に出荷する場合、認証マークは定格銘板などに全て記載される。認証マークの数が多いと、定格銘板のサイズが大きくなってしまい、製品のデザイン性を損なう可能性がある。
【０００３】
特許文献１では、液晶表示装置の裏面に定格銘板を設け、液晶表示装置が透過状態の時に定格銘板が見えるようにする技術が開示されている。また、特許文献２では、各国の放送方式により異なるカラー放送方式を自動的に判別する際に、映像表示装置が使用される国の商用電源電圧を検出してカラー放送方式を判別する技術が開示されている。
【先行技術文献】
【特許文献】
【０００４】
【特許文献１】特開２００６−２３５４８０号公報
【特許文献２】特開２００１−１３６５３８号公報
【発明の概要】
【発明が解決しようとする課題】
【０００５】
従来の技術のように、定格銘板のサイズを大きくして全ての認証マークを表示することは、製品のデザインに制約を与えるので改善が求められる。また、ユーザにとっては製品を使用する自国での認証がとれているか否かが重要であるにもかかわらず、多数の認証マークを併記する方法では、自国の認証マークの視認性を低下させてしまう。また、国によっては認証マークの表示方法に制限を設けている場合があり、出荷国に応じて複数種類の定格銘板を用意する必要が生じるため、製品管理費が嵩む原因となる。
一方、表示装置の認証マークを表示画面上に表示する電子的表示が認められるようになってきている。
【０００６】
本発明は、電子機器が使用される国や地域を自動で判別して、該当する認証マークなどの画像を表示させることで、ユーザが容易に確認できるようにすることを目的とする。
【課題を解決するための手段】
【０００７】
上記課題を解決するために、本発明に係る装置は、国または地域ごとに異なる電源供給形態を判別する判別手段と、複数の画像データを記憶する記憶手段と、前記複数の画像データのうち、前記判別手段による判別結果に対応する画像データを前記記憶手段から読み出す制御を行う選択手段と、前記選択手段により選択されて前記記憶手段から読み出された画像データにしたがって画像を表示する表示手段を備える。
【発明の効果】
【０００８】
本発明によれば、電子機器が使用される国や地域ごとに異なる電源供給形態を自動で判別して、該当する認証マークなどの画像を表示させることで、ユーザが容易に確認できる。
【図面の簡単な説明】
【０００９】
【図１】図２ないし図５と併せて本発明の第１実施形態を説明するために、画面表示例（Ａ）、および装置の構成例を示すブロック図（Ｂ）である。
【図２】表示装置のインレット部とＡＣケーブルと関係を説明する図（Ａ）、およびＡＣケーブルのインレット嵌合部を拡大して示す斜視図（Ｂ）である。
【図３】ＡＣケーブルのインレット嵌合部の形状例（Ａ）ないし（Ｃ）を示す斜視図である。
【図４】認証マークの表示処理例を説明するフローチャートである。
【図５】画面表示の別例を示す図である。
【図６】本発明の第２実施形態に係る装置の構成例を示すブロック図である。
【図７】本発明の第２実施形態における表示処理例を説明するフローチャートである。
【図８】本発明の第３実施形態に係る装置の構成例を示すブロック図である。
【図９】本発明の第３実施形態における表示処理例を説明するフローチャートである。
【発明を実施するための形態】
【００１０】
以下に本発明の各実施形態を説明する。本発明を適用した電子機器として表示装置を例示して説明する。
［第１実施形態］
図１（Ａ）は本発明の第１実施形態に係る表示装置の画面表示例を示す。表示装置の表示画面１０１にＡ国の認証マークを表示し、表示画面１０２にＢ国の認証マークを表示し、表示画面１０３にＣ国の認証マークを表示した例を表している。
このように、表示装置が使用される国ごとの認証マークを個別に表示させることができる。
第１実施形態では複数の国や地域ごとに異なる電源供給形態の相違を、電源接続部材の種別から判別し、該当する認証マークを表示させることができる。以下では、商用電源に接続して使用する電源ケーブルの種別を判別し、表示装置が使用される国を識別する構成例を説明する。
【００１１】
図１（Ｂ）は本実施形態に係る表示装置の構成例を示すブロック図である。
ＡＣ（交流）ケーブル２００は、そのプラグを図示しない電源アウトレット（コンセント）に接続して使用する。ＡＣケーブル判別部２０１には、国ごとに異なるＡＣケーブルが接続される。
一般的に、電子機器が使用される国や地域によって電源供給形態が異なり、例えば、電源電圧値や電源周波数、コンセント形状が異なる。表示装置が複数種の電源電圧に対応して使用できる場合、後述するインレットを設け、国ごとに異なるＡＣケーブルをインレットに嵌合させることで対応できる。ＡＣケーブル判別部２０１はインレットを含んでおり、インレットに嵌合されたＡＣケーブル２００の種別を判別する。ＡＣケーブルの判別方法については後述する。ＡＣケーブル判別部２０１は、ＡＣケーブル２００を介して入力されるＡＣ電圧を電源部２０２に供給する。電源部２０２はＡＣ電圧をＤＣ（直流）電圧に変換して本装置内の各回路部に供給する。
【００１２】
ＡＣケーブル判別部２０１はＡＣケーブル２００の判別結果を画像選択部２０３に送る。画像選択部２０３は、ＡＣケーブル判別部２０１からの判別結果に基づき、画像選択指示信号を画像記憶部２０４に送る。画像記憶部２０４は、図１（Ａ）で説明した複数の認証マークの画像データを記憶している。画像選択部２０３から送られてくる画像選択信号に応じて、複数の認証マークのうちで該当する画像データが選択される。画像記憶部２０４は、選択された認証マークの画像データを表示制御部２０６に出力する。
画像入力部２０５はＨＤＭＩ（High-Definition Multimedia Interface）やＤｉｓｐｌａｙＰｏｒｔなどの、汎用インターフェイスを介して送られてくる画像データを受け取る。なお、本実施形態では入力画像の種別の如何は問わないものとする。画像入力部２０５は入力画像に対応したレシーバで画像信号のデコード処理を行う。デコード処理された画像信号は表示制御部２０６に送られる。表示制御部２０６は画像記憶部２０４からの画像データと画像入力部２０５からの画像データを合成して表示部２０７に出力する。表示部２０７は、例えば液晶パネルとバックライトユニット等で構成され、表示制御部２０６から出力された画像データに従って表示画面に画像を表示する。
【００１３】
図２（Ａ）は表示装置のインレット部とＡＣケーブルとの関係を説明する図である。これは、表示装置３０１の表示面とは反対側の背面から見た場合の図である。表示装置３０１の背面にはインレット３０２が配置されている。
ＡＣケーブル３０３，３０４，３０５はいずれもインレット嵌合部の外形形状が同じであるが、プラグ部（コンセント嵌合部）の形状が異なる。ユーザは、国によって異なるコンセント形状に合わせてＡＣケーブル３０３，３０４，３０５から適切なもの選択して使用する。選択したＡＣケーブルを介して表示装置３０１にＡＣ電圧が供給される。その際、表示装置３０１の表示画面には、選択したＡＣケーブルの判別結果に応じて、認証マークの表示画像が表示される。例えば、Ａ国用ＡＣケーブル３０３を使用した場合、表示装置３０１には図１（Ａ）の表示画面１０１が表示される。また、Ｂ国用ＡＣケーブル３０４の使用時には表示画面１０２が表示され、Ｃ国用ＡＣケーブル３０５の使用時には表示画面１０３が表示される。
【００１４】
図２（Ｂ）は、電源ケーブルの接続部の構成例として、ＡＣケーブル４０４のインレット嵌合部４０１を拡大して示す斜視図である。左図はＡＣケーブル４０４側から見た場合の図であり、右図はＡＣケーブル４０４とは反対方向から見た場合の図である。
インレット嵌合部４０１は表示装置３０１のインレット３０２に嵌合し、ＡＣ電圧端子４０５から表示装置３０１にＡＣ電圧が供給される。接点４０２，４０３はＡＣケーブルの判別に用いる。インレット嵌合部４０１において、接点４０２と接点４０３の間には予め決められた抵抗値が設定されている。インレット３０２は、接点４０２，４０３にそれぞれ接触する検出ピンを内蔵する。ＡＣケーブル判別部２０１は接点４０２と接点４０３の間の抵抗値を読み取る。例えば、ＡＣケーブル３０３ならば１０Ω、ＡＣケーブル３０４ならば５０Ω、ＡＣケーブル３０５ならば１００Ω、というようにケーブルごとに異なる抵抗値が設定されている。ＡＣケーブル判別部２０１は接点間の抵抗値を読み取って、接続されたＡＣケーブルの種別を判別する。
【００１５】
図３は図２（Ｂ）とは異なる判別処理の説明図であり、ＡＣケーブルのインレット嵌合部を例示する。インレット嵌合部５１１はＡＣケーブル３０３に、インレット嵌合部５２１はＡＣケーブル３０４に、インレット嵌合部５３１はＡＣケーブル３０５に、それぞれ対応している。
図３（Ａ）に示すインレット嵌合部５１１は１つの溝５１２を備える。また、図３（Ｂ）のインレット嵌合部５２１は２つの溝５２２，５２３を備え、図３（Ｃ）のインレット嵌合部５３１は３つの溝５３２，５３３，５３４を備える。このようにＡＣケーブルに応じて、溝の数が異なっている。インレット３０２には、各溝に対応した位置に機械式スイッチが設けられており、本例ではスイッチ数を３とする。溝がある部分に対応するスイッチはＯＦＦ状態となり、溝が無い部分に対応するスイッチはＯＮ状態になる。したがって、インレット嵌合部５１１では、１つのスイッチだけがＯＦＦ状態になる。また、インレット嵌合部５２１では、２つのスイッチがＯＦＦ状態になり、インレット嵌合部５３１では３つのスイッチがＯＦＦ状態になる。
このようにスイッチのＯＮ／ＯＦＦ状態の個数を調べるによって、どのＡＣケーブルが接続されているかを判別できる。なお、機械式スイッチに代えて、光学スイッチを設けて判別を行ってもよく、判別のための検出形態の如何は問わない。
【００１６】
次に、図４のフローチャートを参照して、認証マークの表示処理例を説明する。
まず、ＡＣケーブル２００が接続されて装置に電源が投入される（Ｓ６０１）と、ＡＣケーブル判別部２０１は、接続されたＡＣケーブルの種別を判別する（Ｓ６０２）、電源供給後、表示部２０７は入力画像を表示する（Ｓ６０３）。この間、ＡＣケーブル２００の判別結果を示す情報に基づき、対応する認証マークの画像データが画像記憶部２０４から読み出される。読み出された認証マークの画像データは表示制御部２０６に出力され、ここで入力画像データに合成される。合成された画像データは表示部２０７に出力される（Ｓ６０４）。こうして、ＡＣケーブルの判別結果に対応する認証マークの画像が表示画面上に表示される。表示部２０７は、予め設定された時間だけ認証マークを表示した後で、認証マークの画像を消去して入力画像のみ表示する（Ｓ６０５）。
ここまでの処理は通常の認証マーク表示シーケンスである。ユーザが表示装置を使用している自国の認証マークのみが表示されるので、認証マークをより認識し易くなる。
【００１７】
次にＳ６０６では、ユーザ操作によって、表示されたメニュー選択画面で認証マークの表示が選択されたか否かが判断される。この処理は表示装置の制御部（不図示）が操作部材による操作指示信号に基づいて行う。全ての認証マークの表示選択操作が行われた場合、Ｓ６０７に処理を進め、該操作がなされない場合には処理を終了する。Ｓ６０７で画像選択部２０３は、表示装置がサポートしている全ての認証マークの画像データを画像記憶部２０４から読み出して表示制御部２０６に出力する制御を行う。これにより、表示部２０７の表示画面には、サポートしている全ての認証マークの画像が表示される。予め表示装置に設定された時間に亘って認証マークが表示された後で、認証マークが消去され、入力画像のみが画面に表示される（Ｓ６０８）。
【００１８】
図５は図１（Ａ）とは異なる画面表示例を示す。図５では表示装置がサポートしている全ての認証マークを表示する。その中で、表示装置が判別した国の認証マークがハイライト表示される。ハイライト表示とは、例えば該当する認証マークを枠で囲い、または、その部分の明るさを高めることで強調し、識別性を良好にする表示のことである。ユーザは、画面に表示された複数の認証マークのうちで、判別された認証マークを目立った表示状態で視認できる。図５（Ａ）の表示画面７０１はＡ国の認証マークがハイライト表示された状態を示す。同様に、図５（Ｂ）の表示画面７０２はＢ国の認証マークがハイライト表示され、図５（Ｃ）の表示画面７０３はＣ国の認証マークがハイライト表示された状態をそれぞれ示す。
【００１９】
第１実施形態によれば、電源ケーブルの種別に基づいて、電子機器が使用されている国を判別し、対応する国の認証マークを表示することができる。ユーザは自国の認証を取得できているかどうかを、より容易に確認できるので、利便性が向上する。
【００２０】
［変形例］
次に、第１実施形態の変形例を説明する。変形例では、ＡＣ電圧値の相違によって国判別を行う処理を説明する。図１に示すＡＣケーブル判別部２０１に代えて、ＡＣ電圧判別部が設けられる。あるいは、ＡＣケーブル判別部２０１がケーブル判別機能に加えて、ＡＣ電圧値の判別機能を有する。
ＡＣ電圧判別部は、ＡＣケーブル２００を介して供給されるＡＣ電源の電圧値を検出する。国ごとに商用電源電圧が異なる場合、検出した電圧値によって該当する国を判別できる。判別結果は画像選択部２０３に送られ、第１実施形態の場合と同様に、対応する認証マークの表示処理が行われる。
【００２１】
変形例によれば、電源電圧値を検出して電子機器が使用される国を判別し、対応する国の認証マークを表示することができる。例えばＡＣケーブルのプラグ形状が同じ場合や共用プラグを使用する場合でも、国ごとに異なる電源電圧値を判別して、正しい認証マークを表示できる。
【００２２】
［第２実施形態］
次に、本発明の第２実施形態を説明する。なお、第２実施形態にて第１実施形態の場合と同様の構成要素については既に使用した符号を用いることで、それらの詳細な説明を省略する。このような説明の省略の仕方は後述の実施形態でも同様である。
第２実施形態では、画像入力信号に応じて表示する認証マークを変更する処理について、ＩＥＣ（International Electrotechnical Commission）で定められている規格を例にして説明する。この規格では、ＤｉｓｐｌａｙＰｏｒｔなどのＰＣ（Personal Computer）用の入力部を備える機器を情報機器とし、ＲＣＡ端子などのＡＶ（Audio Visual）機器用の入力部を備える機器をＡＶ機器として扱っている。各国で定めている製品安全認証および電波規制認証においてもＩＥＣの規格を参照しているため、入力信号種別によって対応する規格が異なる。
したがって、入力信号を判別することによって、対応している規格の認証マークを表示することができる。
【００２３】
図６は第２実施形態の構成例を示すブロック図である。
ＤＰレシーバ９０１は、ＤｉｓｐｌａｙＰｏｒｔの入力信号を受信し、画像信号に変換して出力する。ビデオデコーダ９０２はビデオ信号を受信し、画像信号に変換して出力する。ここで、ビデオ信号とはＲＣＡ端子などによって入力されるＡＶ機器用の信号を示す。
入力画像判別部９０３はユーザ操作指示にしたがって、入力画像信号を切り替える。切り替えた画像信号は表示制御部２０６に送られる。この時、入力画像判別部９０３は入力信号判別処理を行う。つまり、切り替えた画像信号がＤＰレシーバ９０１からの信号であるか、またはビデオデコーダ９０２からの信号であるかについて判別される。判別信号は画像選択部２０３へ送られる。画像選択部２０３は、ＡＣケーブル判別部２０１からのＡＣケーブル２００の判別信号と、入力画像判別部９０３からの入力画像に係る判別信号を受け取る。画像選択部２０３はこれらの判別信号に基づいて、表示すべき認証マークの画像を選択するための選択指示信号を画像記憶部２０４に送る。
以降は、第１実施形態の場合と同様の処理が行われて、選択された認証マークの画像が表示部２０７に表示される。
【００２４】
図７は、第２実施形態における認証マークの表示処理例を説明するフローチャートである。図４と相違するＳ１００２およびＳ１００４の処理ステップを説明する。
Ｓ６０１からＳ６０２を経てＡＣケーブルの判別が行われた後、Ｓ１００２に進み、入力画像の判別が行われる。入力画像判別部９０３は、ユーザ操作によって選択されている入力ポートを判別するとともに、選択されている入力ポートに信号が入力されているか否かを判別する。判別信号は画像選択部２０３に送られる。次のＳ６０３では、選択された入力画像が表示部２０７に表示される。この間、ＡＣケーブルの判別信号と、入力画像の判別信号に基づき、対応する認証マークの画像データが画像記憶部２０４から読み出される。読み出された認証マークの画像データは表示制御部２０６にて入力画像のデータに合成され、合成された画像データは表示部２０７に出力されて画像が表示される（Ｓ１００４）。そして、Ｓ６０５に処理を進め、所定時間だけ認証マークが表示される。
【００２５】
なお、図４に示すＳ６０６ないしＳ６０８の処理（メニュー操作に応じた表示処理）については本実施形態でも同様であり、重複を避けるために説明および図示を割愛する。
以上の処理は、電源投入時に実行されるものとして説明したが、ユーザが入力信号の切り替え操作を行った場合、入力画像の切り替え操作をトリガとして、図７と同様の処理が行われる。
【００２６】
第２実施形態によれば、電源供給形態の判別結果に加えて、入力信号判別処理による入力画像種別の判別結果に対応する規格の認証データを表示させることができる。
【００２７】
［第３実施形態］
次に、本発明の第３実施形態を説明する。本実施形態では、使用する機能に応じて認証マークを選択して表示する処理例を説明する。例えば、無線機能を有する装置の場合、製品安全認証や電波規制認証とは別に無線認証を取得しなければならない。以下では、無線通信を行う機能モジュールが使用された場合に無線認証マークを表示する処理例を説明する。
【００２８】
図８は第３実施形態に係る表示装置の構成例を示すブロック図である。
無線通信モジュール１１０１は、電波によって情報をやり取りする機能モジュールである。ここでは画像情報を受信しているものとして説明する。無線通信モジュール１１０１は画像情報を受信すると、受信した画像情報を画像入力部２０５に送る。一方、無線通信モジュール１１０１が画像情報を受信し、または送信したことを示す信号（以下、起動判別信号という）が無線通信モジュール１１０１から画像選択部２０３に送られる。画像選択部２０３はＡＣケーブルの判別信号と、起動判別信号に基づき、該当する認証マークの画像データを選択するための選択指示信号を画像記憶部２０４に出力する。
以降は第１実施形態の場合と同様に、選択された認証マークの画像データが表示部２０７に送られて画像が表示される。このように、電子機器にて無線機能を使用した場合、無線機能に該当する認証マークを表示させることができる。
【００２９】
図９は、該当する国の無線認証マークの表示処理例を説明するフローチャートである。図４と相違するＳ１２０１およびＳ１２０２の処理ステップを説明する。
Ｓ６０１ないしＳ６０３の処理後にＳ１２０１に進む。ここで無線通信モジュール１１０１が起動すると、起動判別信号が画像選択部２０３に送られる。画像記憶部２０４から読み出された無線認証マークの画像データが表示制御部２０６から表示部２０７に出力される。判別結果に対応する無線認証マークが画面に表示され（Ｓ１２０２）、一定時間の経過後、表示していた無線認証マークが消去される（Ｓ６０５）。なお、図４のＳ６０６ないしＳ６０８の処理ステップについては同様であるため、説明および図示を割愛する。
【００３０】
第３実施形態では、電子機器の機能モジュールが起動された場合、起動判別信号を取得して当該機能モジュールに対応する認証マークを表示させることができる。
上記の説明では、無線通信による画像情報の処理例を説明したが、これに限らず、その他の種類の情報通信が行われた場合、機能を判別して該当する認証マークを表示してもよい。また、無線通信モジュール以外に認証が必要な機能がある場合には、当該機能が使用されたときの判別結果に対応する認証マークを表示させることができる。
【符号の説明】
【００３１】
２０１  ＡＣケーブル判別部
２０３  画像選択部
２０４  画像記憶部
２０７  表示部
３０２  インレット
３０３，３０４，３０５  ＡＣケーブル
４０１，５１１，５２１，５３１  インレット嵌合部
９０３  入力画像判別部
１１０１  無線通信モジュール
【図１】
2014086940.tif 000003
【図２】
2014086940.tif 000004
【図３】
2014086940.tif 000005
【図４】
2014086940.tif 000006
【図５】
2014086940.tif 000007
【図６】
2014086940.tif 000008
【図７】
2014086940.tif 000009
【図８】
2014086940.tif 000010
【図９】
2014086940.tif 000011